(57)【要約】【課題】  現実のパッティングに即した練習を行え、しかも複数人で同時使用できる練習用カップを実現する。【解決手段】  転動してきたボールＢが乗り越え可能なシーソー板１０を、基板１の周囲に沿って枢軸部を設けることにより基板の放射方向に複数個配した練習用カップにおいて、基板の中央に一段隆起した円形のボールステージ２を設け、枢軸部より基板外側方向の全長に対し基板内側方向の全長を短く構成したシーソー板の基板内側方向の端部を上記ボールステージ上に着地するようにすると共に、基板の周囲にシーソー板を設けない部分を設けることによりボール排出路とし、上記ボールステージはボール排出路側に向かって傾斜するようにする。【選択図】      図１
0003159088.tif 000002
【実用新案登録請求の範囲】
【請求項１】
転動してきたボールが乗り越え可能なシーソー板を、基板の周囲に沿って枢軸部を設けることにより基板の放射方向に複数個配した練習用カップにおいて、基板の中央に隆起した円形のボールステージを設け、枢軸部より基板外側方向の全長に対し基板内側方向の全長を短く構成したシーソー板の基板内側方向の端部を上記ボールステージ上に着地するようにすると共に、基板の周囲にシーソー板を設けない部分を設けることによりボール排出路とし、上記ボールステージはボール排出路側に向かって傾斜するようにしたことを特徴とするパッティング練習用カップ。
【考案の詳細な説明】
【技術分野】
【０００１】
この考案は、ゴルフのパッティングの練習に使用するためのカップに関する。
【背景技術】
【０００２】
グリーンに掘削したホールに代わり、周側のスロープを乗り越えてボールが進入可能なパッティング練習用カップが公知である（特許文献１）。
【０００３】
一方、この種の練習用カップとして、転動してきたボールが乗り越え可能なシーソー板を、基板の周囲に沿って枢軸部を設けることにより基板の放射方向に複数個配したものも公知である（特許文献２〜５）。
【特許文献１】特開２００２−２３３６００号公報
【特許文献２】大正１４年実公２１０８３号公報
【特許文献３】実公昭１０−９００７号公報
【特許文献４】実開昭６３−１９３０８１号公報
【特許文献５】特開平６−５４９３７号公報
【考案の開示】
【考案が解決しようとする課題】
【０００４】
後者の練習用カップはスロープに代え、転動してきたボールが乗り越え可能なシーソー板としているので、パッティングが弱すぎる場合はボールがシーソー板を乗り越えられずカップインできず、逆に強すぎるとシーソー板を飛び越えてしまいやはりカップインできないので、現実のパッティングに即した練習を行うことができるという長所を有する。
【０００５】
この場合、シーソー板は枢軸部より基板外側方向の全長に対し基板内側方向の全長を短く構成して重量差を設けないと、通常状態において基板外側方向の端部が床面に着地してスロープを構成しない。一方、転動してシーソー板のスロープを乗り越えたボールは枢軸部を超えることにより今度はシーソー板が基板内側方向に傾斜するので、そこを転がり落ちることになるが、前記のようにシーソー板は枢軸部より基板内側方向の全長が短いので傾斜角度は急になり、本来シーソー板を飛び越えてしまうべき強度のボールもカップインしてしまうという問題があった。
【０００６】
また、一旦カップインしたボールはシーソー板の逆止作用によりカップから脱出できず、その都度一々カップから取り出さないとカップが一杯になって使用できなくなる問題もあった。
【課題を解決するための手段】
【０００７】
この考案は以上の従来技術の問題点を解消したパッティング練習用カップを提供することを目的として創作されたものであり、転動してきたボールが乗り越え可能なシーソー板を、基板の周囲に沿って枢軸部を設けることにより基板の放射方向に複数個配した練習用カップにおいて、基板の中央に隆起した円形のボールステージを設け、枢軸部より基板外側方向の全長に対し基板内側方向の全長を短く構成したシーソー板の基板内側方向の端部を上記ボールステージ上に着地するようにすると共に、基板の周囲にシーソー板を設けない部分を設けることによりボール排出路とし、上記ボールステージはボール排出路側に向かって傾斜するようにしたことを特徴とする。
【考案の効果】
【０００８】
この考案の練習用カップによれば、基板の中央に隆起した円形のボールステージを設け、シーソー板の基板内側方向の端部を上記ボールステージ上に着地するようにしているので、カップインしたボールは先ずこのボールステージに載る。そして、基板の周囲にシーソー板を設けない部分を設けることによりボール排出路とし、上記ボールステージはボール排出路側に向かって傾斜するようにしているので、ボールは重力によりボール排出路側に転がり落ち、そこからカップ外に排出されるので、カップ内にボールが溜まることがなく、複数人が異なる方向から同時にパッティングの練習を行うことが可能となる。
【０００９】
また、前記したようにシーソー板の基板内側方向の端部は基板から隆起したボールステージ上に着地するので、シーソー板は枢軸部より基板内側方向の全長が短くとも傾斜角度は急にならず、本来シーソー板を飛び越えるべき強度のボールが不用意にカップインしてしまうことが防止される。
【図面の簡単な説明】
【００１０】
【図１】この考案のパッティング練習用カップの平面図。
【図２】同上、基板の要部の斜視図。
【図３】同上、シーソー板の斜視図。
【図４】同上、基板の要部の斜視図。
【図５】同上、基板のボール排出路の斜視図。
【図６】同上、作用を示す説明図。
【図７】同上、作用を示す説明図。
【図８】同上、作用を示す説明図。
【図９】同上、使用状態を示す平面図。
【考案を実施するための形態】
【００１１】
以下、この考案の具体的実施例を添付図面に基づいて説明する。図１はこの考案のパッティング練習用カップの平面図である。この練習用カップは基板１とこれに揺動自在に設けられるシーソー板１０から構成され、この実施例ではこれらはプラスチックにより成形される。
【００１２】
基板１は、ボールが乗り越え可能な複数個のシーソー板１０を放射方向に揺動自在に配するために、円形状の本体の周囲に沿って軸６を突設しており（図２参照）、一方、シーソー板１０は裏面には上記の軸が遊嵌される軸受け１１が突設され（図３参照）、これらの軸と軸受けをもって枢軸部が構成される。
【００１３】
基板１の中央には一段隆起した円形のボールステージ２が設けられ、枢軸部より基板外側方向の全長に対し基板内側方向の全長を短く構成したシーソー板１０の基板内側方向の端部を上記ボールステージ上に着地するようにしている（図４参照）。なお、この実施例においては上記ボールステージ２の周側に段部３を配し、ここに基板内側方向の端部が着地するようにしている。
【００１４】
基板の周囲にはシーソー板１０を設けない部分を設けることによりボール排出路４とし、前記ボールステージはボール排出路側に向かって傾斜させることにより重力によりボール排出路側に転がり落としボール排出路側に誘導する。なお、図中符号５、５はボール排出路４の左右の立ち上がり壁である。また、図中符号７はボールの転がり方向の指標として機能するマークであり、ボールステージ２の中央に設けられる。
【００１５】
図６〜図８は以上の構成よりなるこの考案の練習用カップの作用を示す説明図である。図６において転動してきたボールＢはシーソー板１０により構成されるスロープを上り（Ｃ）、枢軸箇所を越えた後（Ｂ）、シーソー作用によりボールステージに下ることによりシーソー板を乗り越えてカップインする（Ｃ）。一方、パッティングが弱い場合は図７に示すようにボールＢはシーソー板１０を乗り越えずカップインすることはできない。また、逆に強すぎる場合は図８に示すようにシーソー板１０を飛び越えてしまってやはりカップインすることはできない。
【００１６】
図９は複数人が異なる方向から同時にパッティングの練習を行う場合は図示したものであり、この場合でもカップインしたボールＢは直ちにボール排出路４から排出されるので、ボールはカップに溜まることがなく複数人が同時に練習を行うことを可能となる。
【符号の説明】
【００１７】
１      基板
２      ボールステージ
４      ボール排出路
１０    シーソー板
【図１】
0003159088.tif 000003
【図２】
0003159088.tif 000004
【図３】
0003159088.tif 000005
【図４】
0003159088.tif 000006
【図５】
0003159088.tif 000007
【図６】
0003159088.tif 000008
【図７】
0003159088.tif 000009
【図８】
0003159088.tif 000010
【図９】
0003159088.tif 000011